(57)【特許請求の範囲】
【請求項１】
救急車両の動態を表示する表示部と、外部からの操作に基づいて、前記表示部に表示された動態のうち、いずれの動態が選択されたかを判別する制御部とを有する、救急・消防活動で用いる無線通信端末であって、
前記制御部は、前記判別した動態に応じて、無線通信を行う無線通信チャンネルを切り替え、救急患者を病院へ搬送する動態が選択されたと判別した場合、前記無線通信チャンネルを災害チャンネルから救急チャンネルへ切り替える無線通信端末。
【請求項２】
救急車両の動態を表示する表示部と、外部からの操作に基づいて、前記表示部に表示された動態のうち、いずれの動態が選択されたかを判別する制御部とを有する、救急・消防活動で用いる無線通信端末であって、
前記制御部は、前記判別した動態に応じて、無線通信を行う無線通信チャンネルを切り替え、救急車両が署に帰着する動態が選択されたと判別した場合、前記無線通信チャンネルを災害チャンネルから救急チャンネルへ切り替える無線通信端末。
【請求項３】
請求項１または請求項２に記載の無線通信端末において、
前記災害チャンネルは、予め設定された１つの無線通信チャンネルにより、複数の自治体が管轄するそれぞれ１台または複数の救急車両または消防車両がグループ通信を行うための無線通信チャンネルであることを特徴とする無線通信端末。
【請求項４】
請求項１から３のいずれか１項に記載の無線通信端末において、
前記救急チャンネルは、予め設定された１つの無線通信チャンネルにより、１つの自治体が管轄する救急車両と指令センタとの間の通信、または救急車両と救急車両との１対１の通信を行うための無線通信チャンネルであることを特徴とする無線通信端末。
【請求項５】
請求項１から４のいずれか１項に記載の無線通信端末において、
前記制御部が切り替えた無線通信チャンネルを用いて、前記判別した動態を示す情報を指令センタへ通知する通信部を有することを特徴とする無線通信端末。
【請求項６】
救急・消防活動における無線通信方法であって、
救急車両の動態を表示する処理と、
外部からの操作に基づいて、前記表示された動態のうち、いずれの動態が選択されたかを判別する処理と、
前記判別した動態に応じて、無線通信を行う無線通信チャンネルを切り替える処理と、
救急患者を病院へ搬送する動態が選択されたと判別した場合、前記無線通信チャンネルを災害チャンネルから救急チャンネルへ切り替える処理とを行う無線通信方法。
【請求項７】
救急・消防活動における無線通信方法であって、
救急車両の動態を表示する処理と、
外部からの操作に基づいて、前記表示された動態のうち、いずれの動態が選択されたかを判別する処理と、
前記判別した動態に応じて、無線通信を行う無線通信チャンネルを切り替える処理と、
救急車両が署に帰着する動態が選択されたと判別した場合、前記無線通信チャンネルを災害チャンネルから救急チャンネルへ切り替える処理とを行う無線通信方法。
【請求項８】
救急・消防活動で用いるコンピュータに、
救急車両の動態を表示する手順と、
外部からの操作に基づいて、前記表示された動態のうち、いずれの動態が選択されたかを判別する手順と、
前記判別した動態に応じて、無線通信を行う無線通信チャンネルを切り替える手順と、
救急患者を病院へ搬送する動態が選択されたと判別した場合、前記無線通信チャンネルを災害チャンネルから救急チャンネルへ切り替える手順とを実行させるためのプログラム。
【請求項９】
救急・消防活動で用いるコンピュータに、
救急車両の動態を表示する手順と、
外部からの操作に基づいて、前記表示された動態のうち、いずれの動態が選択されたかを判別する手順と、
前記判別した動態に応じて、無線通信を行う無線通信チャンネルを切り替える手順と、
救急車両が署に帰着する動態が選択されたと判別した場合、前記無線通信チャンネルを災害チャンネルから救急チャンネルへ切り替える手順とを実行させるためのプログラム。
【発明の詳細な説明】
【技術分野】
【０００１】
本発明は、救急・消防活動の無線通信に用いる無線通信端末、無線通信方法およびプログラムに関する。
【背景技術】
【０００２】
近年、災害等が発生した場合、その災害に関連する情報を一元化する技術が考えられている（例えば、特許文献１参照。）。
【０００３】
このような災害発生時に、救急車両が救急活動する場合に用いる無線通信チャンネルは、消防車両と救急車両とが広域災害に対して連携して活動する場合に用いる無線通信チャンネルとは異なるチャンネルである。
【０００４】
従って、救急車両と消防車両とが連携して広域災害に対して活動する状態から、救急車両が救急活動する状態に移行した場合に、救急車両の無線通信チャンネルを手動（例えば、スイッチの切り替え操作）で切り替える必要がある。
【先行技術文献】
【特許文献】
【０００５】
【特許文献１】特開２００３−２５６９６３号公報
【発明の概要】
【発明が解決しようとする課題】
【０００６】
災害出動指令を受けた救急車両は、複数の自治体が管轄するそれぞれ１台または複数の救急車両または消防車両と、無線通信システムの災害チャンネルを利用してグループ通信を行う。
【０００７】
救急車両は、災害現場から患者の搬送を開始すると、救急車両の動態情報として、患者の搬送の開始を示す「病発」の動態情報を、救急車両を管轄する自治体の指令センタへ送信する。しかし、災害チャンネルは他の自治体が管轄する無線通信チャネルであり、救急車両を管轄する自治体の指令センタへ「病発」の動態情報を送信するには、災害チャンネルを使うことができない。つまり、このとき、当該送信に用いる無線通信チャネルを災害チャンネルから、災害チャンネルの周波数帯とは異なる周波数帯に割り当てられている救急チャンネルへ切り替える必要がある。
【０００８】
また、救急車両は、災害現場から署に帰着すると、救急車両の動態情報として署に帰着を示す「帰署」の動態情報を、救急車両を管轄する自治体の指令センタへ送信する。しかし、同様に、救急車両を管轄する自治体の指令センタへ「帰署」の動態情報を送信するには、災害チャンネルから救急チャンネルへ切り替える必要がある。
【０００９】
この無線通信チャンネルの切り替えは、上述したように手動で行わなければならないため、その手間がかかってしまうという問題点がある。また、当該切り替えを手動で行うため、この切り替え作業を忘れた場合には、消防車両、救急車両、指令センタ間の連絡がスムーズにできず、救助等の活動にも支障が出てしまう等の問題点がある。
【００１０】
本発明の目的は、上述した課題を解決する無線通信端末、無線通信方法およびプログラムを提供することである。
【課題を解決するための手段】
【００１１】
本発明の無線通信端末は、
救急車両の動態を表示する表示部と、外部からの操作に基づいて、前記表示部に表示された動態のうち、いずれの動態が選択されたかを判別する制御部とを有する、救急・消防活動で用いる無線通信端末であって、
前記制御部は、前記判別した動態に応じて、無線通信を行う無線通信チャンネルを切り替える。
【００１２】
また、本発明の無線通信方法は、
救急・消防活動における無線通信方法であって、
救急車両の動態を表示する処理と、
外部からの操作に基づいて、前記表示された動態のうち、いずれの動態が選択されたかを判別する処理と、
前記判別した動態に応じて、無線通信を行う無線通信チャンネルを切り替える処理とを行う。
【００１３】
また、本発明のプログラムは、
救急・消防活動で用いるコンピュータに実行させるためのプログラムであって、
救急車両の動態を表示する手順と、
外部からの操作に基づいて、前記表示された動態のうち、いずれの動態が選択されたかを判別する手順と、
前記判別した動態に応じて、無線通信を行う無線通信チャンネルを切り替える手順とを実行させる。
【発明の効果】
【００１４】
以上説明したように、本発明においては、救急・消防活動を円滑に行うことができる。
【図面の簡単な説明】
【００１５】
【図１】本発明の無線通信端末を用いた無線通信システムの一形態を示す図である。
【図２】図１に示した指令台の内部構成の一例を示すブロック図である。
【図３】図１に示した端末装置の内部構成の一例を示すブロック図である。
【図４】図３に示した表示部に表示された、動態の入力画面の一例を示す図である。
【図５】図１に示した端末装置における動態表示から、無線通信チャンネルの切り替え、動態通知までの処理を説明するためのフローチャートである。
【図６】図１に示した端末装置の記憶部に記憶された、無線通信チャンネルを災害チャンネルから救急チャンネルへ切り替える動態を示す情報の一例を示す図である。
【図７】端末装置から動態を示す情報が通知された指令台の処理を説明するためのフローチャートである。
【発明を実施するための形態】
【００１６】
以下に、本発明の実施の形態について図面を参照して説明する。
（構成の説明）
図１は、本発明の無線通信端末を用いた無線通信システムの一形態を示す図である。なお、この無線通信システムは、災害発生時の救急・消防活動で用いる無線通信システムである。
【００１７】
本形態は、指令センタ１００に設置された１台または複数台の指令台１と、指令センタ４００に設置された１台または複数台の指令台４と、１台または複数台の救急車両２００および１台または複数台の消防車両３００各々に搭載された端末装置２とが、無線通信回線３を介して接続されることにより構成される。
【００１８】
指令台１，４は、指令隊員による緊急通報の受信、救急車両２００および消防車両３００との通信、災害現場との連絡等に用いられる。また、指令台１，４は、端末装置２から送信されてきた、救急車両２００の動態を示す情報を表示し、記録する。
【００１９】
救急車両２００および消防車両３００にはそれぞれ、救急隊員、消防隊員等の隊員が乗車し、災害現場において、救急業務、消防業務を行う。
【００２０】
端末装置２は、救急車両２００および消防車両３００にそれぞれ搭載され、各々救急隊員、消防隊員が利用する無線通信端末である。また、端末装置２は、消防車両３００または救急車両２００の動態を入力し、指令台１，４へ送信する機能、消防車両３００または救急車両２００の動態情報や、指令台１，４からの指令等を表示する機能、指令台１，４および他の消防車両３００または救急車両２００との無線通信を行う機能を有する。
【００２１】
指令センタ１００と救急車両２００と消防車両３００とは、１つの自治体Ａが管轄している。指令センタ４００は、他の自治体Ｂが管轄している。
【００２２】
本形態で用いられる無線通信回線３は、複数の無線通信チャンネルで構成されている。救急車両２００と指令センタ１００，４００との間で送受信される音声信号および制御信号は、１つの通信チャンネルを利用して送受信される。利用される通信チャンネルは、救急チャンネルと災害チャネルとの２種類がある。これらは、使用する周波数帯域が互いに異なるものである。
【００２３】
救急チャンネルは、１つの自治体が管轄する救急車両２００と指令センタ１００とが利用する無線通信チャンネルである。また、救急チャンネルは、予め設定された１つの無線通信チャンネルにより、１つの自治体が管轄する救急車両２００と指令センタ１００との間、または救急車両２００と他の救急車両２００との間で、１対１通信を行う無線通信チャンネルである。
【００２４】
救急車両２００に搭載された端末装置２は、救急患者の搬送等の救急活動を開始すると、救急車両２００の動態として「病発」を示す情報を、救急チャンネルを用いて救急車両２００を管轄する自治体の指令センタ１００へ送信する。また、救急車両２００に搭載された端末装置２は、救急車両２００が署に帰着すると、救急車両２００の動態として「帰署」を示す情報を、救急チャンネルを用いて救急車両２００を管轄する自治体の指令センタ１００へ送信する。
【００２５】
災害チャンネルは、広域災害発生時に、災害出動指令を発する指令センタが予め設定した１つの無線通信チャンネルにより、複数の自治体が管轄するそれぞれ１台または複数の救急車両２００または消防車両３００が、グループ通信を行うための無線通信チャンネルである。災害出動指令を発する指令センタが災害チャンネルを割り当て、複数の自治体が管轄する救急車両２００または消防車両３００がその災害チャンネルを利用して無線通信を行う。
【００２６】
図２は、図１に示した指令台１の内部構成の一例を示すブロック図である。なお、図１に示した指令台４の内部構成についても、同様である。
【００２７】
図１に示した指令台１には図２に示すように、スピーカ部１１と、マイク部１２と、制御部１３と、データ入力部１４と、表示部１５と、通信部１６と、記憶部１７とが設けられている。
【００２８】
スピーカ部１１およびマイク部１２は、音声通信機能に用いる。
【００２９】
制御部１３は、指令台１の動作を制御する。
【００３０】
データ入力部１４は、キーボードや十字キー等からなり、データの入力、データの選択、１１９番の緊急通報を含めた音声通信の接続と切断、指令台１の操作に用いる。
【００３１】
表示部１５は、データ入力部１４を用いて入力した情報、通信部１６にて受信した情報、制御部１３からの応答情報や指示情報等を表示する。
【００３２】
通信部１６は、無線通信回線３を介して、他の端末や装置と通信を行う。
【００３３】
記憶部１７は、データ入力部１４から入力された情報データ、通信部１６を介して指令台１に入力された情報データを、制御部１３の制御により記憶する。
【００３４】
なお、指令台１は、各指令台に配置された指令隊員が利用（操作）する。指令隊員は受信した緊急通報に基づき、災害処置に必要となる複数の消防車両３００および救急車両２００を特定し、これらの消防車両３００および救急車両２００に対して出動指令等を、指令台１を操作して送出する。また、指令台１，４は、は各消防車両３００、救急車両２００から受信した動態情報等を表示部１５に表示する。
【００３５】
図３は、図１に示した端末装置２の内部構成の一例を示すブロック図である。
【００３６】
図１に示した端末装置２には図３に示すように、スピーカ部２１と、マイク部２２と、制御部２３と、データ入力部２４と、表示部２５と、通信部２６とが設けられている。
【００３７】
スピーカ部２１およびマイク部２２は、音声通信機能に用いる。
【００３８】
制御部２３は、端末装置２の動作を制御する。また、制御部２３は、外部からの操作（例えば、データ入力部２４への操作）に基づいて、表示部２５が表示した、隊員が救急車両２００または消防車両３００の動態を選択するための画面の中で、どの動態が選択されたかを判別する。また、制御部２３は、判別した動態に応じて、無線通信を行う無線通信チャンネルを切り替える。
【００３９】
データ入力部２４は、キーボードや十字キー等からなり、データの入力、データの選択、音声通信の接続と切断、端末装置２の操作に用いる。
【００４０】
表示部２５は、データ入力部２４を用いて入力した情報、端末装置２の応答情報や指示情報、隊員が救急車両２００または消防車両３００の動態を選択するための画面、指令台１，４から受信した情報等を、表示する。
【００４１】
通信部２６は、消防車両３００または救急車両２００に設置されたアンテナ（図示せず）を利用して、無線通信回線３を介して、他の消防車両３００または救急車両２００に搭載された端末装置２や指令台１，４と通信を行う。また、通信部２６は、緊急車用の動態の変更に応じた動態を示す動態情報を、指令台１，４へ報知（通知）する。
【００４２】
図４は、図３に示した表示部２５に表示された、動態の入力画面の一例を示す図である。なお、図４には、救急車両２００に搭載された端末装置２の表示部２５に表示された入力画面を例に挙げて示している。
【００４３】
図３に示した表示部２５には図４に示すように、救急車両２００の動態として、「出動」ボタン２５１、「現着」ボタン２５２、「病発」ボタン２５３、「病着」ボタン２５４、「引揚」ボタン２５５、および「帰署」ボタン２５６が表示される。隊員がデータ入力部２４を操作することで、表示部２５に表示されたこれらの動態（ボタン）のうち１つの動態が選択されると、いずれの動態が選択されたかを制御部２３が判別し、判別した動態を示す動態情報を通信部２６から指令センタ１００へ通知する。ここで、データ入力部２４の操作による動態の選択方法は、例えば、タッチパネルを用いたものであっても良いし、カーソル移動によるものであっても良いし、一般的に用いられている方法で良い。
【００４４】
出動指令を受けた救急車両２００は、災害現場に向けて出動を開始する。この動態を「出動」という。
【００４５】
出動後、救急車両２００は、現場に到着する。この動態を「現着」という。
【００４６】
現着後、救急車両２００は、救急患者を病院に向けて救急搬送を開始する。この動態を「病発」という。
【００４７】
病発後、救急車両２００は、病院に到着する。この動態を「病着」という。
【００４８】
現着後、救急車両２００は、救急患者を救急搬送する必要が無い場合、引き揚げる。この動態を「引揚」という。
【００４９】
救急車両２００は、署に帰着する。この動態を「帰署」という。
（動作の説明）
以下に、本形態における無線通信方法について説明する。
【００５０】
１１９番などの緊急通報を受けた他の自治体Ｂの指令センタ４００の指令隊員は、広域災害の発生であるとして自治体Ｂが管轄する救急車両２００だけでなく、自治体Ａが管轄する救急車両２００にも、災害出動の要請を開始する。
【００５１】
指令センタ４００の指令隊員は、指令台４を操作して、自治体Ａが管轄する救急車両２００に、災害出動の要請を行う。また、指令センタ４００の指令隊員は、指令台４を操作して、救急車両２００に、無線通信に利用する無線通信チャンネルとして、災害チャンネルを指示する。これは、一般的に行われている方法と同じ方法で行われる。
【００５２】
また、他の自治体Ｂの指令センタ４００から災害出動指令を受けた救急車両２００は、災害現場に向けて出動を開始する。このとき、救急車両２００の各隊員は、救急車両２００に搭載された端末装置２が使用する無線通信チャンネルを災害チャンネルに設定する。これにより、この救急車両２００の管理を行う指令センタは、救急車両２００を管轄する自治体Ａの指令センタ１００から、災害チャンネルを管轄する他の自治体Ｂの指令センタ４００に切り替わる。さらに、救急車両２００の各隊員は、救急車両２００に搭載された端末装置２のデータ入力部２４を操作して、表示部２５に表示されている動態登録メニューの中から、「出動」ボタン２５１を選択する。すると、端末装置２の制御部２３は、選択された動態が「出動」であることを判別し、端末装置２を識別するためにあらかじめ付与された端末装置識別情報と、「出動」の動態を示す動態情報識別情報とを含む制御信号を、通信部２６を介して、災害チャンネルを用いて災害チャンネルを管轄する他の自治体Ｂの指令センタ４００の指令台４へ送出する。
【００５３】
端末装置２から送信されてきた制御信号を受信した、災害チャンネルを管轄する他の自治体Ｂの指令センタ４００の指令台４の制御部１３は、当該制御信号を解析し、表示部１５の表示画面に救急車両２００の動態が「出動」であることを表示すると共に、救急車両２００の動態情報が「出動」である旨を記憶部１７に登録する（書き込む）。
【００５４】
その後、救急車両２００は災害現場に到着すると、災害チャンネルを利用して、１台または複数の救急車両２００または消防車両３００との間でグループ通信を行う。なお、救急車両２００が災害現場に到着したとき、「現着」ボタン２５２の選択がされると、「現着」の動態について、上述した「出動」の動態と同じ処理が行われる。
【００５５】
「現着」の動態後、救急車両２００は、被災者の有無や状態（例えば、怪我の程度や意識状態）等に応じて、災害現場から被災者（救急患者）を病院に向けて搬送する等の救急活動を行う場合と、救急活動を行わずに災害現場から署に戻る場合とがある。
【００５６】
災害現場から救急患者を病院に向けて搬送する等の救急活動を行う場合、救急車両２００は、病院に向けて救急患者の救急搬送を開始する。
【００５７】
救急隊員は、救急車両２００に搭載された端末装置２のデータ入力部２４を操作して、表示部２５に表示されている動態登録メニューの中から、「病発」ボタン２５３を選択する。すると、端末装置２の制御部２３は、選択された動態が「病発」であることを判別し、現在選択されている無線通信チャンネルが救急チャンネルと災害チャンネルとのどちらであるかを判別する。この判別方法は、制御部２３が、無線通信を行う際に、使用している無線通信チャンネルが救急チャンネルと災害チャンネルとのどちらであるかを識別できる情報を記憶しておき、その記憶している情報を読み出して判別するものであっても良く、ここでは特に規定しない。
【００５８】
制御部２３は、現在選択されている無線通信チャンネルが災害チャンネルであると判別した場合、無線通信チャンネルを災害チャンネルから救急チャンネルへ切り替える。そして、制御部２３は、端末装置２を識別するためにあらかじめ付与された端末装置識別情報と、「病発」の動態を示す動態情報識別情報とを含む制御信号を、通信部２６を介して、救急チャンネルを用いて、救急車両２００を管轄する自治体Ａの指令センタ１００の指令台１へ送出する。
【００５９】
端末装置２から送信されてきた制御信号を受信した、救急チャンネルを管轄する指令台１の制御部１３は、当該制御信号を解析し、表示部１５の表示画面に救急車両２００の動態が「病発」であることを表示すると共に、救急車両２００の動態情報が「病発」である旨を記憶部１７に登録する（書き込む）。
【００６０】
また、救急車両２００は、救急チャンネルを利用して指令台１または救急車両２００との間で、１対１の通信を行う。
【００６１】
一方、救急活動を行わずに災害現場から署に戻る場合、救急搬送不要で署に戻ることになり、「引揚」ボタン２５５の選択がされると、「引揚」の動態について、上述した「出動」の動態と同じ処理が行われ、その後、救急車両２００は署に帰着する。
【００６２】
救急隊員は、救急車両２００に搭載された端末装置２のデータ入力部２４を操作して、表示部２５に表示されている動態登録メニューの中から、「帰署」ボタン２５６を選択する。すると、端末装置２の制御部２３は、選択された動態が「帰署」であることを判別し、現在選択されている無線通信チャンネルが救急チャンネルと災害チャンネルとのどちらであるかを判別する。この判別方法は、上述したものと同じものであっても良く、ここでは特に規定しない。
【００６３】
制御部２３は、現在選択されている無線通信チャンネルが災害チャンネルであると判別した場合、無線通信チャンネルを災害チャンネルから救急チャンネルへ切り替える。そして、制御部２３は、端末装置２を識別するためにあらかじめ付与された端末装置識別情報と、「帰署」の動態を示す動態情報識別情報とを含む制御信号を、通信部２６を介して、救急チャンネルを用いて、救急車両２００を管轄する自治体Ａの指令センタ１００の指令台１へ送出する。
【００６４】
端末装置２から送信されてきた制御信号を受信した、救急チャンネルを管轄する指令台１の制御部１３は、当該制御信号を解析し、表示部１５の表示画面に救急車両２００の動態が「帰署」であることを表示すると共に、救急車両２００の動態情報が「帰署」である旨を記憶部１７に登録する（書き込む）。
【００６５】
以下に、動態表示から、無線通信チャンネルの切り替え、動態通知までの処理の詳細を説明する。以下の説明においては、上述したような、「病発」または「帰署」の動態が選択されたときに、無線通信チャンネルを災害チャンネルから救急チャンネルへ切り替える場合を例に挙げて説明する。
【００６６】
図５は、図１に示した端末装置２における動態表示から、無線通信チャンネルの切り替え、動態通知までの処理を説明するためのフローチャートである。
【００６７】
まず、表示部２５が、図４に示したような動態登録メニューを表示すると（ステップＳ１）、制御部２３は、表示されている動態登録メニューに対してデータ入力部２４が操作されたかどうかを判別する（ステップＳ２）。
【００６８】
制御部２３が、表示されている動態登録メニューに対してデータ入力部２４が操作されたと判別した場合、当該操作で、「病発」ボタン２５３または「帰署」ボタン２５６が選択されたかどうかを制御部２３は判別する（ステップＳ３）。
【００６９】
制御部２３が、「病発」ボタン２５３または「帰署」ボタン２５６が選択されたと判別した場合、制御部２３は、現在選択されている無線通信チャンネルが救急チャンネルと災害チャンネルとのどちらであるかを判別する（ステップＳ４）。
【００７０】
制御部２３が、現在選択されている無線通信チャンネルが災害チャンネルであると判別した場合、制御部２３は、無線通信チャンネルを災害チャンネルから救急チャンネルへ切り替える（ステップＳ５）。
【００７１】
そして、選択された動態を示す情報を、制御部２３は通信部２６を介して指令センタ１００へ通知する（ステップＳ６）。
【００７２】
一方、ステップＳ３にて、制御部２３が、「病発」ボタン２５３または「帰署」ボタン２５６ではないボタンが選択されたと判別した場合は、ステップＳ４およびＳ５の処理は行わず、ステップＳ６の処理を行う。また、ステップＳ４にて、制御部２３が、現在選択されている無線通信チャンネルが災害チャンネルではないと判別した場合は、ステップＳ５の処理は行わず、ステップＳ６の処理を行う。
【００７３】
上述した処理の一例では、「病発」ボタン２５３または「帰署」ボタン２５６が選択されたと判別した場合に、無線通信チャンネルを災害チャンネルから救急チャンネルへ切り替えているが、どのボタン（動態）が選択されたときに無線通信チャンネルを災害チャンネルから救急チャンネルへ切り替えるかは、運用で設定することが可能である。つまり、無線通信チャンネルを災害チャンネルから救急チャンネルへ切り替える動態をあらかじめ端末装置２に記憶させておいて、この記憶された情報に基づいて、制御部２３が判別するものであれば良い。
【００７４】
図６は、図１に示した端末装置２の記憶部（不図示）に記憶された、無線通信チャンネルを災害チャンネルから救急チャンネルへ切り替える動態を示す情報の一例を示す図である。
【００７５】
図６に示すように、動態を示す情報と、災害チャンネルから救急チャンネルへの切り替えの要不要との対応付けが、端末装置２の記憶部に記憶されている。制御部２３は、この対応付けを参照することで、「出動」の動態が選択された場合、または「現着」の動態が選択された場合は、制御部２３は無線通信チャンネルを災害チャンネルから救急チャンネルへ切り替えることはしない。また、「病発」の動態が選択された場合、または「帰署」の動態が選択された場合は、制御部２３は、無線通信チャンネルを災害チャンネルから救急チャンネルへ切り替える。このような対応付けを用いるだけではなく、無線通信チャンネルを災害チャンネルから救急チャンネルへ切り替える動態のみ（例えば、「病着」および「帰署」のみ）を記憶しておき、制御部２３がその動態を参照することで、無線通信チャンネルを災害チャンネルから救急チャンネルへ切り替えるか否かを判別するものであっても良い。この判別方法は、これらに限らない。
【００７６】
以下に、端末装置２から動態を示す情報が通知された指令台１の処理の詳細について説明する。
【００７７】
図７は、端末装置２から動態を示す情報が通知された指令台１の処理を説明するためのフローチャートである。
【００７８】
端末装置２から送信された通知である制御信号（上述した端末装置識別情報と動態情報識別情報とを含む）を通信部１６が受信すると（ステップＳ１１）、制御部１３は、当該制御信号を解析する。解析の結果、制御信号に含まれる動態情報識別情報が示す動態を表示部１５が表示する（ステップＳ１２）。このとき、制御信号に含まれる端末装置識別情報が示す端末装置名や、当該端末装置が搭載されている救急車両名を共に表示するものが好ましい。これは、端末装置識別情報と、当該端末装置識別情報が付与された端末装置が搭載されている救急車両名とをあらかじめ対応付けて記憶部１７が記憶しておき、制御部１３が記憶部１７に記憶されている対応付けを用いて、端末装置識別情報から救急車両名を読み出すものであっても良い。
【００７９】
また、制御部１３は、制御信号に含まれる動態情報識別情報が示す動態を記憶部１７に記憶する（ステップＳ１３）。このとき、制御部１３は、当該動態を、制御信号に含まれる端末装置識別情報が示す端末装置名や、当該端末装置が搭載されている救急車両名と対応付けて記憶部１７に記憶するものが好ましい。
【００８０】
このように、本発明においては、救急車両の動態を指令センタへ通知するために行われる操作で、所定の動態が選択された場合に、無線通信チャンネルを災害チャンネルから救急チャンネルへ切り替えるため、無線通信チャンネルの手動切り替え操作の手間を省くことができ、救急・消防活動を円滑に行うことができる。
【００８１】
上述した端末装置２に設けられた各構成要素が行う処理は、目的に応じてそれぞれ作製された論理回路で行うようにしても良い。また、処理内容を手順として記述したコンピュータプログラム（以下、プログラムと称する）を端末装置２にて読取可能な記録媒体に記録し、この記録媒体に記録されたプログラムを端末装置２に読み込ませ、実行するものであっても良い。端末装置２にて読取可能な記録媒体とは、フロッピー（登録商標）ディスク、光磁気ディスク、ＤＶＤ、ＣＤなどの移設可能な記録媒体の他、端末装置２に内蔵されたＲＯＭ、ＲＡＭ等のメモリやＨＤＤ等を指す。この記録媒体に記録されたプログラムは、端末装置２に設けられた制御部２３にて読み込まれ、制御部２３の制御によって、上述したものと同様の処理が行われる。ここで、制御部２３は、プログラムが記録された記録媒体から読み込まれたプログラムを実行するコンピュータとして動作するものである。
【符号の説明】
【００８２】
１，４    指令台
２    端末装置
３    無線通信回線
１１，２１    スピーカ部
１２，２２    マイク部
１３，２３    制御部
１４，２４    データ入力部
１５，２５    表示部
１６，２６    通信部
１７    記憶部
１００，４００    指令センタ
２００    救急車両
２５１    「出動」ボタン
２５２    「現着」ボタン
２５３    「病発」ボタン
２５４    「病着」ボタン
２５５    「引揚」ボタン
２５６    「帰署」ボタン
３００    消防車両
【図１】
0005549695.tif 000002
【図２】
0005549695.tif 000003
【図３】
0005549695.tif 000004
【図４】
0005549695.tif 000005
【図５】
0005549695.tif 000006
【図６】
0005549695.tif 000007
【図７】
0005549695.tif 000008